【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
ディスプレイのためのビジュアル・コンテンツのレンダリングを管理する方法であって、
視聴者メンバのモバイル・デバイスから、前記モバイル・デバイスの各モバイル・デバイスについての該モバイル・デバイスの対応する位置を示す位置データを受信するステップと、
前記ディスプレイの近接領域内において検出された前記視聴者メンバの前記モバイル・デバイスから受信された前記位置データに基づいて、前記ディスプレイと、前記ディスプレイの近接領域内において検出された前記視聴者メンバの前記モバイル・デバイスの各モバイル・デバイスと、の間のそれぞれの距離を決定するステップと、
前記ディスプレイと、前記ディスプレイの近接領域内において検出された前記視聴者メンバの前記モバイル・デバイスの各モバイル・デバイスと、の間の前記それぞれの距離に応じて、前記ディスプレイからの閾距離を決定するステップであって、該ステップは、前記ディスプレイからの最大距離の予め定められたパーセンテージの距離を前記閾距離として決定するステップを含み、前記最大距離は、前記ディスプレイと、前記ディスプレイの近接領域内において検出された前記視聴者メンバの前記モバイル・デバイスの各モバイル・デバイスと、の間の前記それぞれの距離のうち最大の距離であり、前記ディスプレイからの前記最大距離の前記予め定められたパーセンテージの距離は、前記ディスプレイからの前記最大距離よりも短い、ステップと、
前記ディスプレイからの前記閾距離に基づいて、前記ディスプレイ上にレンダリングされる前記ビジュアル・コンテンツのサイズを制御する制御ステップと、
を含む、方法。
【請求項２】
前記ビジュアル・コンテンツの前記サイズは、前記ディスプレイ上にレンダリングされるテキストのフォント・サイズ、及び、前記ディスプレイ上にレンダリングされるグラフィカル・オブジェクトのサイズのうちの少なくとも１つを含む、請求項１記載の方法。
【請求項３】
前記制御ステップは、
時間の経過に伴う、前記ディスプレイからの前記閾距離の決定された変化に応じて、時間とともに、前記ディスプレイ上にレンダリングされる前記ビジュアル・コンテンツの前記サイズを調整するステップ
を含む、請求項１記載の方法。
【請求項４】
前記ビジュアル・コンテンツの特性及び前記ビジュアル・コンテンツを含むドキュメントの特性のうちの少なくとも１つに基づいて、前記ディスプレイからの前記閾距離に応じて、前記ディスプレイ上にレンダリングされる前記ビジュアル・コンテンツの前記サイズを動的に調整するかどうかを検出するステップ
をさらに含む、請求項１記載の方法。
【請求項５】
前記ビジュアル・コンテンツの前記サイズは、前記ディスプレイ上にペンにより生成される線の濃さを含む、請求項１記載の方法。
【請求項６】
ディスプレイ上にレンダリングされるビジュアル・コンテンツを管理することを容易にするシステムであって、
プロセッサと、
命令を記憶しているメモリであって、前記メモリが、前記プロセッサにより実行されたときに、前記命令は、前記プロセッサに、
視聴者メンバのモバイル・デバイスから、前記モバイル・デバイスの各モバイル・デバイスについての該モバイル・デバイスの対応する位置を示す位置データを受信する動作と、
前記ディスプレイの近接領域内において検出された前記視聴者メンバの前記モバイル・デバイスから受信された前記位置データに基づいて、前記ディスプレイと、前記ディスプレイの近接領域内において検出された前記視聴者メンバの前記モバイル・デバイスの各モバイル・デバイスと、の間のそれぞれの距離を決定する動作と、
前記ディスプレイと、前記ディスプレイの近接領域内において検出された前記視聴者メンバの前記モバイル・デバイスの各モバイル・デバイスと、の間の前記それぞれの距離に応じて、前記ディスプレイからの閾距離を決定する動作であって、該動作は、前記ディスプレイからの最大距離の予め定められたパーセンテージの距離を前記閾距離として決定する動作を含み、前記最大距離は、前記ディスプレイと、前記ディスプレイの近接領域内において検出された前記視聴者メンバの前記モバイル・デバイスの各モバイル・デバイスと、の間の前記それぞれの距離のうち最大の距離であり、前記ディスプレイからの前記最大距離の前記予め定められたパーセンテージの距離は、前記ディスプレイからの前記最大距離よりも短い、動作と、
前記ディスプレイからの前記閾距離に応じて、前記ディスプレイ上にレンダリングされる前記ビジュアル・コンテンツのサイズを動的に調整する動作と、
を含む動作群を実行させる、メモリと、
を備えた、システム。
【請求項７】
前記ビジュアル・コンテンツの前記サイズは、前記ディスプレイ上にレンダリングされるテキストのフォント・サイズ、及び、前記ディスプレイ上にレンダリングされるグラフィカル・オブジェクトのサイズのうちの少なくとも１つである、請求項６記載のシステム。
【請求項８】
前記動作群は、
前記ビジュアル・コンテンツを含むドキュメントを受信する動作と、
前記ビジュアル・コンテンツの特性及び前記ビジュアル・コンテンツを含む前記ドキュメントの特性のうちの少なくとも１つに基づいて、前記ディスプレイからの前記閾距離に応じて、前記ディスプレイ上にレンダリングされる前記ビジュアル・コンテンツの前記サイズを動的に調整することを有効又は無効にするかを検出する動作と、
をさらに含む、請求項６記載のシステム。
【請求項９】
ディスプレイであって、
プロセッサと、
命令を記憶しているメモリであって、前記メモリが、前記プロセッサにより実行されたときに、前記命令は、前記プロセッサに、
視聴者メンバのモバイル・デバイスから、前記モバイル・デバイスの各モバイル・デバイスについての該モバイル・デバイスの対応する位置を示す位置データを受信する動作と、
前記視聴者メンバの前記モバイル・デバイスから前記位置データを受信したことに応じて、前記ディスプレイと、前記ディスプレイの近接領域内において検出された前記視聴者メンバの前記モバイル・デバイスの各モバイル・デバイスと、の間のそれぞれの距離を決定する動作と、
前記ディスプレイと、前記ディスプレイの近接領域内において検出された前記視聴者メンバの前記モバイル・デバイスの各モバイル・デバイスと、の間の前記それぞれの距離に応じて、前記ディスプレイからの閾距離を決定する動作であって、該動作は、前記ディスプレイからの最大距離の予め定められたパーセンテージの距離を前記閾距離として決定する動作を含み、前記最大距離は、前記ディスプレイと、前記ディスプレイの近接領域内において検出された前記視聴者メンバの前記モバイル・デバイスの各モバイル・デバイスと、の間の前記それぞれの距離のうち最大の距離であり、前記ディスプレイからの前記最大距離の前記予め定められたパーセンテージの距離は、前記ディスプレイからの前記最大距離よりも短い、動作と、
前記ディスプレイからの前記閾距離に応じて、前記ディスプレイ上にレンダリングされるビジュアル・コンテンツのサイズを動的に調整する動作と、
を含む動作群を実行させる、メモリと、
を備えた、ディスプレイ。
【請求項１０】
前記ビジュアル・コンテンツの前記サイズは、前記ディスプレイ上にペンにより生成される線の濃さを含む、請求項９記載のディスプレイ。